(57)【要約】【課題】装置筐体の薄型化にもかかわらず、記録／再生動作位置において光ディスクの一部が装置筐体に接触して異常音を発生しない光ディスク装置を提供する。【解決手段】装置の筐体を構成するシャーシ４上に回動可能に取り付けられ、ディスクモータ２やターンテーブル２ａや光ピックアップ３などを搭載したトラバースメカ部５を、光ディスクをローディングする際、ターンテーブル上にチャッキングするため、昇降機構とを備えたスロットインタイプの光ディスク装置において、更に、高さ調整機構として、螺合手段を利用した高さ調整機構２００ａ、２００ｂを、トラバースメカの支承軸線上に２点の位置と、それから外れた位置に設け、もって、装置の記録又は再生動作時におけるトラバースメカのシャーシに対する傾きを調整可能とした。【選択図】図７
2007220176.tif 000002
【特許請求の範囲】
【請求項１】
装置の筐体を構成するシャーシと、
当該シャーシ上に回動可能に取り付けられ、少なくともディスクモータとターンテーブルと光ピックアップとを備えたトラバースメカ部と、
光ディスクをローディングする際、前記ターンテーブルをチャッキングするために前記トラバースメカ部を昇降移動させる昇降機構とを備えた光ディスク装置において、更に、
当該光ディスク装置の記録又は再生動作時における前記トラバースメカ部の前記シャーシに対する傾きを調整するための傾き調整機構を備えたことを特徴とする光ディスク装置。
【請求項２】
前記請求項１に記載した光ディスク装置において、前記傾き調整機構は、螺合手段を利用した高さ調整機構から構成されていることを特徴とする光ディスク装置。
【請求項３】
前記請求項２に記載した光ディスク装置において、前記傾き調整機構を構成する高さ調整機構が、回動可能に取り付けられた前記トラバースメカ部の支承軸線から外れた位置に設けられていることを特徴とする光ディスク装置。
【請求項４】
前記請求項３に記載した光ディスク装置において、前記高さ調整機構は、前記昇降機構と一体に構成されていることを特徴とする光ディスク装置。
【請求項５】
前記請求項４に記載した光ディスク装置において、前記高さ調整機構は、前記昇降機構と共に、前記トラバースメカ部の端部に隣接して設けられていることを特徴とする光ディスク装置。
【請求項６】
前記請求項４に記載した光ディスク装置において、前記昇降機構が円柱状の外周部にカム面を形成してなるカムにより構成され、かつ、前記高さ調整機構が、当該カムを前記シャーシに回動可能に支承するための部材の一部によって構成されていることを特徴とする光ディスク装置。
【請求項７】
前記請求項３に記載した光ディスク装置において、前記傾き調整機構を構成する高さ調整機構が、更に、前記トラバースメカ部における前記支承軸線上の一方の端部に設けられていることを特徴とする光ディスク装置。
【請求項８】
前記請求項３に記載した光ディスク装置において、前記傾き調整機構を構成する高さ調整機構が、更に、前記トラバースメカ部における前記支承軸線上の両端部に設けられていることを特徴とする光ディスク装置。
【請求項９】
前記請求項７又は８に記載した光ディスク装置において、前記支承軸線上の一方又は両端部に設けられた前記高さ調整機構が、前記トラバースメカ部における前記支承軸線上の一方又は両方の端部を回動可能に支承する部材の位置に設けられた貫通孔に螺合するネジであることを特徴とする光ディスク装置。
【請求項１０】
前記請求項９に記載した光ディスク装置において、前記支承部材が弾性体により形成されていることを特徴とする光ディスク装置。
【請求項１１】
前記請求項１〜１０の何れか一に記載した光ディスク装置において、前記装置の筐体の厚さが略９．５ｍｍであることを特徴とする光ディスク装置。
【発明の詳細な説明】
【技術分野】
【０００１】
本発明は、ＣＤやＤＶＤなどのディスク状の光記録媒体（以下、「光ディスク」と称する）へ情報の記録又は再生を行う光ディスク装置に係り、特に、光ディスクをローディングする際にターンテーブルを昇降移動させてチャッキングを行う、所謂、スロットインタイプの光ディスク装置の構造に関する。
【背景技術】
【０００２】
光ディスクを記録媒体として情報の記録又は再生を行う光ディスク装置は、例えば、パーソナルコンピュータをはじめとする各種の電子装置における情報記録装置として、広く使用されている。かかるディスク装置では、従来、トレイ又はターンテーブル上にディスクを載置し、このトレイやターンテーブルを装置本体内に装着するローディング方式が多く採用されている。
【０００３】
一方、特にノート型のパーソナルコンピュータやカーナビゲーション装置などでは、その小型化に伴って、その搭載場所が極めて狭小な場所に制限されていることから、光ディスク装置の薄型化に対する要求が著しいが、しかしながら、上述したようなローディング方式では、トレイやターンテーブルが必要な分、ディスク装置本体を薄型化するには限度があった。
【０００４】
そこで、例えば、以下の特許文献１や２にも知られるように、ディスク面に搬送ローラを当接させてディスクを引き込む方式（所謂、スロットイン方式）が提案されており、かつ、ディスク装置本体の薄型化や小型化を図るための種々の改良が提案されている。
【０００５】
【特許文献１】特開平７−２２０３５３号公報
【特許文献２】特開２００２−３５２４９８号公報
【発明の開示】
【発明が解決しようとする課題】
【０００６】
ところで、上述したスロットイン方式の光ディスク装置では、光ディスクをローディングする際、装置のケース内の狭小なクリアランス内においてターンテーブルなどを含むトラバースメカと称される部材を昇降変位させてチャッキングを行い、その後、当該トラバースメカをケースに平行な所定の位置にして記録／再生動作を行う。しかしながら、この記録／再生動作を行う際、特に装置の外形高さ（厚さ）が９．５ｍｍ程度の超薄型の光ディスク装置では、光ディスクと装置筐体（ケース）との間の隙間（クリアランス）も非常に制限されることから、このトラバースメカが装置を構成するケース（筐体）の上下の面に対して傾斜している場合には、その半径が比較的大きいＣＤやＤＶＤなどの光ディスクでは、その外周縁での上下の移動量が大きくなってケース面に当接してしまう。そのため、このディスクの接触によって、当該装置が異常音（アブノーマルサウンド）を発生し、また、場合によっては、光ディスクの情報記録面を傷つけるなどの問題を生じていた。なお、上述した従来技術の何れも、かかる問題点については考慮されていなかった。
【０００７】
そこで、本発明は、上述した従来技術における問題点に鑑みてなされたものであり、その目的は、トラバースメカの昇降変位によって引き込まれた光ディスクをチャッキングするスロットイン方式の光ディスク装置であって、装置筐体の薄型化にもかかわらず、当該トラバースメカの記録／再生動作位置において光ディスクの一部が装置筐体に接触することのない、改良された光ディスク装置を提供することである。
【課題を解決するための手段】
【０００８】
本発明によれば、上記の目的を達成するため、まず、装置の筐体を構成するシャーシと、当該シャーシ上に回動可能に取り付けられ、少なくともディスクモータとターンテーブルと光ピックアップとを備えたトラバースメカ部と、光ディスクをローディングする際、前記ターンテーブルをチャッキングするために前記トラバースメカ部を昇降移動させる昇降機構とを備えた光ディスク装置において、更に、当該光ディスク装置の記録又は再生動作時における前記トラバースメカ部の前記シャーシに対する傾きを調整するための傾き調整機構を備えた光ディスク装置が提供される。
【０００９】
なお、本発明では、前記に記載した光ディスク装置において、前記傾き調整機構は、螺合手段を利用した高さ調整機構から構成されていることが好ましく、更には、前記傾き調整機構を構成する高さ調整機構が、回動可能に取り付けられた前記トラバースメカ部の支承軸線から外れた位置に設けられていることが好ましい。
【００１０】
なお、本発明では、前記に記載した光ディスク装置において、前記高さ調整機構は、前記昇降機構と一体に構成されており、そして、前記高さ調整機構は、前記昇降機構と共に、前記トラバースメカ部の端部に隣接して設けられており、更には、前記昇降機構が円柱状の外周部にカム面を形成してなるカムにより構成され、かつ、前記高さ調整機構が、当該カムを前記シャーシに回動可能に支承するための部材の一部によって構成されていることが好ましい。
【００１１】
また、本発明では、前記に記載した光ディスク装置において、前記傾き調整機構を構成する高さ調整機構が、更に、前記トラバースメカ部における前記支承軸線上の一方の端部に設けられ、又は、その両端部に設けられていることが好ましく、更には、前記支承軸線上の一方又は両端部に設けられた前記高さ調整機構が、前記トラバースメカ部における前記支承軸線上の一方又は両方の端部を回動可能に支承する部材の位置に設けられた貫通孔に螺合するネジであること、加えて、前記支承部材が弾性体により形成されていることが好ましい。
【００１２】
なお、本発明では、前記に記載した光ディスク装置では、その筐体の厚さが略９．５ｍｍの超薄型の光ディスク装置である。
【発明の効果】
【００１３】
以上からも明らかなように、本発明によれば、スロットインタイプの光ディスク装置内において、光ディスクをローディングする際にターンテーブルと共に昇降移動するトラバースメカの、記録／再生動作時における傾きや高さを調整することが可能となり、筐体の厚さが略９．５ｍｍの超薄型の光ディスク装置であっても、光ディスクと筐体との間のクリアランスを確保することが出来、その結果、ディスクの記録面の傷つき防止を行うこと可能となり、ディスク接触によるアブノーマルサウンドが発生しないようにするという優れた効果を発揮する。
【発明を実施するための最良の形態】
【００１４】
以下、本発明の実施の形態について、添付の図面を参照して詳細に説明する。
【００１５】
まず、添付の図１は、本発明の一実施の形態になる光ディスク装置の構成をその表側（ディスク載置側）から示した斜視図である。この図１において、符号１００は、光ディスク装置であり、図示しない光ディスクを回転駆動するためのディスクモータ２、やはりここでは図示しないトップカバーを有し、光ディスクを載置するためのターンテーブル２ａ、光ピックアップ３、光ピックアップの対物レンズ３ａ、装置の第１の基台としてのシャーシ４、そして、上記ディスクモータ２やターンテーブル２ａ、光ピックアップ３などを含めて構成されており、ローディングの際に昇降変位して光ディスクをチャッキングして記録／再生動作を行なう、所謂、トラバースメカ部５を備えている。
【００１６】
なお、このトラバースメカ部５は、その支持基盤であって、上記シャーシ４に対し支点の周りに回動変位可能な第２の基台としてのトラバースメカデッキ部材５ａを備えている。より具体的には、トラバースメカデッキ部材５ａは、一対の回動支点ｇ及びｈを有しており、これら回動支点ｇ−ｈを通る直線（以下、支承軸線という）Ｐ−Ｐ’を中心として回動し、上下に昇降可能となっている。また、図中の符号６は、上記トラバースメカデッキ部材５ａを支点の周りに回動させ、もって、シャーシ４に対して昇降変位させるカム機構体を、そして、符号７は、上記トラバースメカデッキ部材５ａの端部（図の左端）に設けられ、上記カム機構体６のカム面に係合するカムピンを示している。なお、図中の符号８は、上記光ディスク装置１００の裏面側を覆うボトムケースである。
【００１７】
更に、上記トラバースメカ部５には、その円筒表面にネジ溝を形成し、その回転によって上記光ピックアップ３を装着された光ディスクの略半径方向に移動させるための、所謂、リードスクリュー部材２１が設けられており、当該光ピックアップ３は、その際、ガイド部材２２、２３により案内される。なお、図中の符号３０は、上記リードスクリュー部材３１を回転駆動する送りモータである。そして、この第２の基台としてのトラバースメカデッキ部材５ａ上には、上述したリードスクリュー部材２１、ガイド部材２２、２３、及び、送りモータ３０などと共に、やはり上述したディスクモータ２や光ピックアップ３などが搭載されている。
【００１８】
上記光ディスク装置１００は、また、光ディスクをローディング移動又はアンローディング移動させる駆動力を発生するためのローディングモータ４０を備えており、このローディングモータ４０から駆動力は、伝達用ギヤ列４１を介して、負荷側に伝達される。また、装置内には、光ディスクが前面パネル側からＹ軸方向に装置本体内に挿入された際、又は、光ディスクが装置本体内から前面パネル側に排出される際に、当該挿入／排出動作のための駆動力の伝達を行うアーム部材５０が設けられており、このアーム部材５０は、アーム部５０ａと共に、当該アーム部を回動可能に支持するためのアーム支持部５０ｂを備えている。更に、符号７０は、光ディスクを装置本体内に引き込むためのディスクスロットアーム部材を、また、符号８０はサブレバー部材を示している。
【００１９】
以上の光ディスク装置１００の構成において、上記のカム機構体６は、円柱状体の外周部にカム面を形成するカム溝が設けられた構造であって、本実施例では、シャーシ４上の上記ターンテーブル２ａにチャッキングされる光ディスクの正投影領域（即ち、光ディスクの円形平面が正投影された円形領域）の範囲内において、その回動軸を上記ディスクモータ２の回転軸と略同じ方向（Ｚ軸方向）に向けて回動可能に設けられている。また、このカム機構体６の外周には、当該回動軸方向（Ｚ軸方向）に対して回動軸の周囲にカム面を形成するよう、カム溝が形成されている。一方、上記トラバースメカデッキ部材５ａの端部に設けられたカムピン７は、その先端部が当該カム溝内に挿入されてカム面に係合している。これにより、カム機構体６の回転に伴いって上記カムピン７が昇降し、もって、トラバースメカデッキ部材５ａを、上記回動支点ｇ−ｈ、即ち、上記支承軸線Ｐ−Ｐ’を中心として回動し、もって、装置の筐体（ケース）を構成するシャーシ４に対して上記トラバースメカデッキ部材５ａを昇降移動させる昇降機構部を構成している。
【００２０】
なお、上記光ディスク装置１００は、その表面側を、図示しないトップカバー部材で覆われており、また、本装置は、その厚さ寸法（トップカバー部材の外表面とボトムケース８の外表面との間の距離）が９．５×ｍｍ以下の、所謂、超薄型の光ディスク装置となっている。
【００２１】
次に、添付の図２は、上記図１におけるＡ部を拡大した斜視図とその平面図を示しており、これらの図からも明らかなように、カム機構体６は、その回動軸６ｃに同心状に設けられた被駆動部としての被駆動ギヤ６ａと、その外周にカム面（溝）が形成されたカム部分６ｂとを備えている。そして、上述したカム機構体６の被駆動ギヤ６ａには、駆動ギヤ９が係合されており、もって、カム機構体６を回動軸６ｃの周りに回動させる駆動力を、上記被駆動ギヤ６ａに伝える。なお、図中の符号９ｃは、この駆動ギヤ９の回動軸を示している。
【００２２】
更に、符号１２２、１２３は、光ディスクのローディング又はアンローディング時に作動する、所謂、レバー部材である。即ち、これらのレバー部材１２２、１２３には、ここでは図示しない光ディスクのローディング移動、又は、アンローディング移動時において、ローディングモータ４０の回転駆動力が、上記伝達用ギヤ列４１を介して伝達され、これにより、光ディスクを所定の状態に保ちながら装置本体内を移動して光ディスクをチャッキング可能な位置まで引き込み、又は、当該チャッキング可能な位置から装置本体外に向けて光ディスクを引き出す。そして、上記カムピン７は、カム機構体６の回動軸６ｃの中心（回動中心軸）とディスクモータ２の中心（回動中心軸）とを結ぶ直線上において、トラバースメカデッキ部材５ａ側に配置されている。
【００２３】
例えば、光ディスクのローディング時において、光ディスクが装置本体内の所定位置に挿入されると、ローディングモータ４０が回転を開始し、当該ローディングモータ４０の回転駆動力が伝達用ギヤ列４１を介してレバー部材１２２に伝達され、上記レバー部材１２２が直線的な移動を行う。これにより、カム駆動部の駆動ギヤ９を回動軸９ｃの周りに回動させる。一方、この駆動ギヤ９は、その回動により被駆動ギヤ６ａを駆動し、カム機構体６を回動軸６ｃの周りに回動させる。そして、このカム機構体６の回動によりカム面が移動することにより、カムピン７は、カム機構体６の回動軸方向、即ち、Ｚ軸方向にカム面の曲線に沿ってその位置を移動することとなる。即ち、このカムピン７がＺ軸方向に移動することで、トラバースメカデッキ部材５ａが、回動支点ｇ、ｈにより、即ち、支承軸線Ｐ−Ｐ’の周囲に回動し、もって、当該トラバースメカデッキ部材５ａ上のディスクモータ２やターンテーブル２ａを、上記シャーシ４に対して昇降移動させることとなる。そして、このターンテーブル２ａの上昇移動により、図示しないトップカバーの内面部に押し当てられた状態で、光ディスクの中央孔内にターンテーブル２ａが挿入され、もって、光ディスクのチャッキングが行われる。
【００２４】
続いて、添付の図３は、上記図１及び図２に示した昇降機構部における、上記カム機構体６の動作を説明する図である。まず、図３（ａ）は、上記カムピン７がカム機構体６によるＺ軸方向への上昇移動を開始していない状態を示しており、図３（ｂ）は、上記カム機構体６の回動に伴ってカムピン７がカム面に沿ってカム機構体６の回動軸方向（Ｚ軸方向）へ上昇移動を開始した後、ターンテーブル２ａに光ディスクをチャッキングした時の、カム面上におけるカムピン７の位置を示している。そして、図３（ｃ）は、光ディスクのチャッキング後の、記録又は再生動作を開始する際におけるカム面上でのカムピン７の位置を示している。
【００２５】
なお、上記の図において、ｃはカム機構体６の回動中心、Ｑはカム機構体６のカム溝、Ｓ１は、カム機構体６のカム面のうち第１のカム面、Ｓ２は、同じく第２のカム面、Ｓｔは、第１のカム面Ｓ１と第２のカム面Ｓ２との間でカム面の曲線が極大となる極大カム面を示している。なお、その他の符号は、上記図１及び図２と同様である。
【００２６】
そして、チャッキング時には、駆動ギヤ９が反時計方向に回動することにより被駆動ギヤ６ａを駆動し、カム機構体６を回動中心ｃ周り（＝回動軸６ｃ周り）に、時計方向に回動させる。このカム機構体６の時計方向の回動により、カム面Ｓ１、Ｓｔ、Ｓ２がカムピン７に対し順次移動することにより、カムピン７は、カム面Ｓ１、Ｓｔ、Ｓ２の曲線に沿って、Ｚ軸方向及び−Ｚ軸方向に移動する。そして、カム構体６が回動してカムピン７が図３（ａ）に示す位置から移動してカム面Ｓ１に当接すると、当該カム面Ｓ１は、その曲線に沿って当該カムピン７をＺ軸方向に上昇移動させる。即ち、当該カムピン７の上昇移動に伴って、トラバースメカデッキ部材５ａも、回動支点ｇ及びｈの周囲、即ち、支承軸線Ｐ−Ｐ’の周りに反時計方向に回動し、ディスクモータ２やターンテーブル２ａ、更には、チャッキングされた光ディスクを、装置の筐体（ケース）を構成する上記シャーシ４に対して、上昇移動させる。そして、当該上昇移動により、ターンテーブル２ａは、光ディスクを載せて図示しないトップカバーに近づく。
【００２７】
その後、上記カムピン７がカム面Ｓｔの位置に来ると、カムピン７はＺ軸方向の最も高い位置となる（図３（ｂ））。そして、当該位置では、ターンテーブル２ａ上の光ディスクは、トップカバーの内面部に押し当てられ、もって、ターンテーブル２ａ上にチャッキングされた状態となる。その後、カム機構体６が更に時計方向に回動すると、上記カムピン７は、カム面Ｓ２に当接する。そして、当該カム面Ｓ２では、カムピン７を−Ｚ軸方向に次第に下降移動させる。このカムピン７の下降移動に伴って、ユニットメカデッキ部材５ａも、回動支点ｇ−ｈの周囲、即ち、支承軸線Ｐ−Ｐ’の周りに時計方向に回動し、もって、ディスクモータ２やターンテーブル２ａを、チャッキングされた光ディスクと共に、シャーシ４に対して下降移動させる。そして、当該下降移動により、ターンテーブル２ａ上にチャッキングされた光ディスクは、トップカバーの内面から離隔して回転可能な状態となり、記録又は再生が可能となる（図３（ｃ））。
【００２８】
一方、光ディスクがアンローディングされる場合は、駆動ギヤ９が時計方向に回動することにより被駆動ギヤ６ａを駆動し、カム機構体６を回動中心６ｃの周りに反時計方向に回動させ、もって、カム面をカムピン７に対しＳ２、Ｓｔ、Ｓ１の順で当接させることによって、カムピン７を、カム面Ｓ２、Ｓｔ、Ｓ１の曲線に沿って、Ｚ軸方向及び−Ｚ軸方向に移動変位させる。これにより、トラバースメカデッキ部材５ａを支承軸線Ｐ−Ｐ’の周りに回動させてターンテーブル２ａを昇降移動させ、光ディスクをターンテーブル２ａ上から離隔させてチャッキング状態を解除する。
【００２９】
更に、図４は、上記図１の昇降機構部のカム機構体が動作する前の装置状態を、そして図５は、昇降機構部のカム機構体が動作した後の装置状態を示す。これらの図において、符号１６０は、ローディングモータ４０への通電をオン、オフするためのスイッチである。その他の符号は、上記図１及び図２と同様である。そして、光ディスクのローディング時、図４の装置状態にある光ディスク装置１００の装置本体内に光ディスクが挿入されると、当該光ディスクは、ディスクスロットアーム部材７０やサブレバー部材８０などの働きにより、更に、装置本体の内側に引き込まれると共に、レバー部材１２２、１２３が作動し、アーム部材５０のアーム部５０ａ及びアーム支持部５０ｂを支点の周りに回動させる。そして、アーム支持部５０ｂが回動すると、それに伴ってスイッチ１６０が押され、もって、ローディングモータ４０をオン状態にして回転させる。その結果、その回転駆動力が、伝達用ギヤ列４１を介してレバー部材１２２に伝達され、更に、カム駆動部の駆動ギヤ９に伝達されて当該駆動ギヤ９を回動軸９ｃの周りに回動させる。
【００３０】
駆動ギヤ９は、その回動により被駆動ギヤ６ａを駆動させ、カム機構体６を回動軸６ｃの周りに回動させる。カム機構体６の回動によりカム面が移動することによって、カム溝に係合しているカムピン７を、カム面の曲線に沿ってＺ軸方向又は−Ｚ軸方向に移動させる。カムピン７がＺ軸方向又は−Ｚ軸方向にその位置を移動することで、トラバースメカデッキ部材５ａが、回動支点ｇ−ｈ、即ち、支承軸線Ｐ−Ｐ’の周りに回動し、当該トラバースメカデッキ部材５ａ上のディスクモータ２やターンテーブル２ａを、上記シャーシ４に対して移動させ、光ディスクをターンテーブル２ａ上にチャッキングする。この時、光ディスク装置１００は、図５に示す状態となり、上記スイッチ１６０が押された時、当該スイッチ１６０の出力信号は、光ディスク装置１００の制御手段としてのマ図示しないイコン等に入力され、一方、当該マイコン等からの制御信号に基づき、上記ローディングモータ４０の駆動等が制御される。
【００３１】
以上のように、光ディスク面に搬送ローラを当接させて引き込むスロットイン方式の光ディスク装置１００では、ローディングの際に昇降変位して光ディスクをチャッキングするトラバースメカ部５において、上記図３（ｃ）にも示した記録又は再生動作時の状態では、トラバースメカデッキ部材５ａをシャーシ４に対して平行になるように移動し、当該トラバースメカデッキ部材５ａ上に設けられたターンテーブル２ａ上にチャッキングされた光ディスクをディスクモータ２により回転駆動することとなる。
【００３２】
しかしながら、この時、特に、上述したように、装置の外形高さ（厚さ）が９．５ｍｍ程度の超薄型の光ディスク装置では、光ディスクと装置筐体（ケース）との間の隙間（クリアランス）、この場合には、上記トップカバー（上面）又はシャーシ４（下面）との間の隙間が、非常に制限される。このことから、このトラバースメカ５、即ち、トラバースメカデッキ部材５ａが筐体（ケース）を構成する上記シャーシ４に対して傾斜している場合には、その半径が比較的大きいＣＤやＤＶＤなどの光ディスクは、その外周縁がトップカバー（上面）及び／又ははシャーシ４（下面）に当接してしまう。そのため、ディスクの接触による異常音（アブノーマルサウンド）を発生し、あるいは光ディスクの情報記録面を傷つける等の問題を生じる。なお、このトラバースメカ５の傾斜は、上述した構成からも明らかなように、トラバースメカデッキ部材５ａの一対の回動支点ｇ及びｈ（即ち、支承軸線Ｐ−Ｐ’）、更には、上記シャーシ４に対して当該トラバースメカデッキ部材５ａを昇降変位させるカム機構体６、特に、そのカム面に係合するカムピン７の位置によって生じ、そして、決定されることとなる。
【００３３】
そこで、本発明では、トラバースメカ５の傾きや高さ、特に、記録／再生動作時での傾き調整可能とすることにより、当該記録／再生動作時での光ディスクの装置筐体（ケース）内での平行位置を調整可能とすることにより、かかる問題点を解消せんとするものであり、記録／再生動作時での傾きを手動で調整することを可能とする傾き調整機構を設けたものである。より具体的には、光ディスクの装置筐体（ケース）の背面を示す添付の図６に明らかなように、上記トラバースメカデッキ部材５ａの一対の回動支点ｇ及びｈ、そして、カムピン７の位置を決定するカム構体６を含む３箇所に、高さ調整機構２００ａと２００ｂを設けたものである。なお、これらの高さ調整機構としては、本例では、所謂、螺合手段を用いたものを示す。
【００３４】
添付の図７には、上記高さ調整機構２００ａと２００ｂの詳細な構造が示されており、まず、図７（ａ）には、上記支承軸線Ｐ−Ｐ’に沿って、即ち、上記トラバースメカデッキ部材５ａの一対の回動支点位置ｇ及びｈに設けられた調整機構２００ａの詳細構造が示されている。なお、図からも明らかなように、上記支承軸線Ｐ−Ｐ’に沿ったトラバースメカデッキ部材５ａの両端部には、それぞれ、突出して脚部５ｆが設けられており、一方、光ディスク装置の筐体（ケース）を構成するシャーシ４の内壁面には、例えば、ゴム等の弾性体により形成されたダンパー５ｄが、所定の位置（即ち、上記図６における符号２００ａの位置）に取り付けられている。一方、このシャーシ４の底面には、上記ダンパー５ｄの下面の位置に、その内周面にネジ溝を切った貫通孔４ｂが形成されており、更に、この貫通孔４ｂに螺合して位置調整を行なうための位置調整ネジ４ｓが設けられている。
【００３５】
そして、上記の構成では、トラバースメカデッキ部材５ａの脚部５ｆの先端が、上記ダンパー５ｄの側面に形成された挿入穴５ｈ内に挿入され、もって、トラバースメカデッキ部材５ａは、上記支点線Ｐ−Ｐ’を中心として回動可能となっている。即ち、上記回動可能なトラバースメカデッキ部材５ａ上にディスクモータ２やターンテーブル２ａを取り付けてなるトラバースメカ部５は、装置内に光ディスクをローディングの際に、装置筐体（ケース）を構成する上記シャーシ４に対し、その位置を上下に移動し、光ディスクをターンテーブル２ａにチャッキングすると共に、その後、記録／再生位置に移動することが可能となっている。そして、このトラバースメカデッキ部材５ａは、上記貫通孔４ｂ内に螺合して設けられた位置調整ネジ４ｓの回動に伴ってダンパー５ｄが押し上げられることから、その高さが上下に調整可能となっている（図中の矢印を参照）。
【００３６】
また、図７（ｂ）は、上記支承軸線Ｐ−Ｐ’から外れた位置に設けられた高さ調整機構２００ｂの一例を示しており、具体的には、上記トラバースメカデッキ部材５ａの端部に設けられたカムピン７をそのカム部分６ｂの溝Ｑ内に挿入し、その回動に伴ってトラバースメカデッキ部材５ａを上下に昇降するためのカム機構構体６と一体に設けられた、シャーシ４に対して高さ調整するための高さ調整機構を示している。
【００３７】
即ち、図にも示すように、この高さ調整機構２００ｂでは、上記カム機構構体６のカム部分６ｂをその周りに回動可能に支承する回動軸６ｃの下端部にネジ溝６ｓを形成すると共に、その下端部には、例えば、ドライバの先端が挿入可能な溝６ｇが設けられている。一方、前記シャーシ４の底面に形成した貫通孔４ｈの内周面にもネジ溝を形成している。なお、この図からも明らかなように、この回動軸６ｃは、その内部を中空とすると共に、その下部外周には鍔部６ｆを設け、更に、その上部の内周面にはネジ溝を形成している。また、図中の符号６ｔは、この回動軸６ｃの上端に螺合されるネジを示しており、また、符号６ｄは、リング部材６ｒを示しておいる。
【００３８】
即ち、これにより、上記カム機構構体６のカム部分６ｂは、回動軸６ｃの周囲に回動可能に取り付けられている。そして、ドライバ等を利用することにより、その下端部に設けられた溝６ｇによりこの回動軸６ｃを回動することにより、上記カム機構構体６のカム部分６ｂが上下に調整可能となっている（図中の矢印を参照）。そして、このことにより、このカム部分６ｂの外周面に形成された溝Ｑ内にそのカムピン７が挿入されたトラバースメカデッキ部材５ａが、やはり、上下に調整可能となっている（図中の矢印を参照）。
【００３９】
なお、以上にその詳細な構造を説明した高さ調整機構２００ａ、２００ｂによる、トラバースメカ５のシャーシ４に対する高さ調整は、上記光ディスク装置を組み立てた後、例えば、レーザー変位計などによりトラバースメカの高さを測定し、その測定結果により、上記トラバースメカデッキ部材５ａの一対の回動支点ｇ及びｈ、そして、カムピン７の位置を決定するカム構体６を含む３箇所においてネジ調整を行うことにより実行する。なお、その後、光ディスクの面ブレを考慮したて予め容易されたチェック用のディスクを光ディスク装置内に装着し、記録又は再生動作を行いながら、ディスク接触による異常音がないか否かの確認を行う。その結果、問題がある場合は、再度、上記のネジを回して調整する。なお、実際に調整する高さは、特に、上述した装置の外形高さ（厚さ）が９．５ｍｍ程度の超薄型の光ディスク装置では、０．２〜０．３ｍｍ程度の微小な量で十分である。
【００４０】
また、光ディスクをチャッキングした後に記録又は再生を行う場合のトラバースメカ５の位置を調整し、即ち、チャッキングした光ディスクを光ディスク装置内において平行に保持するための機構として、上記の例では、トラバースメカデッキ部材５ａのシャーシ４に対する傾きを調整するために、高さ調整機構を３箇所に設けた構成について述べた。しかしながら、本発明はかかる構成にのみ限定されることなく、これに代えて、例えば、高さ調整機構を、上記支承軸線Ｐ−Ｐ’から外れた位置、即ち、上記カム機構体６の位置にだけ高さ調整機構２００ｂを設け、又は、これに代えて、上記カム機構体６の位置の調整機構２００ｂと共に、上記支承軸線Ｐ−Ｐ’に沿って設けられる一対の高さ調整機構２００ａの一方だけを設けることによっても、上記と同様に、トラバースメカ、即ち、トラバースメカデッキ部材５ａの装置筐体（ケース）を構成する上記シャーシ４に対する傾の調整を可能とし、もって、より少ない構成部品で、上述と同様の効果が得られることとなる。
【図面の簡単な説明】
【００４１】
【図１】本発明の一実施の形態になる光ディスク装置の全体構成を示す、そのトップカバーは外した状態の斜視図である。
【図２】上記図１中のＡ部を拡大して示すための一部拡大斜視図と平面図である。
【図３】上記図１に示した光ディスク装置における昇降機構部の、特に、カム機構体の動作説明のための断面図である。
【図４】上記図１の光ディスク装置における昇降機構部のカム構体の動作前における装置状態を示す平面図である。
【図５】上記図１の光ディスク装置における昇降機構部のカム構体の動作後における装置状態を示す平面図である。
【図６】本発明の光ディスク装置における傾き調整機構（高さ調整機構）の配置構成を示すための装置筐体（ケース）の背面図である。
【図７】上記傾き調整機構（高さ調整機構）の具体的な構成を示すための、断面を含む一部拡大斜視図である。
【符号の説明】
【００４２】
２…ディスクモータ
２ａ…ターンテーブル
３…光ピックアップ
４…シャーシ
４ｂ…貫通孔
４ｈ…貫通孔
４ｓ…位置調整ネジ
５…ユニットメカ部
５ａ…ユニットメカデッキ部材
６…カム機構体
６ａ…被駆動ギヤ
６ｂ…カム部分
６ｃ…回動軸
６…溝
６ｓ…ネジ溝
７…カムピン
１００…光ディスク装置
２００ａ、２００ｂ…高さ調整機構
ｇ、ｈ…回動支点
Ｐ−Ｐ'…支承軸線。
【図１】
2007220176.tif 000003
【図２】
2007220176.tif 000004
【図３】
2007220176.tif 000005
【図４】
2007220176.tif 000006
【図５】
2007220176.tif 000007
【図６】
2007220176.tif 000008
【図７】
2007220176.tif 000009